(57)【要約】 【課題】本発明は、ハロゲンヒーターに関する改良発明である。【解決手段】本発明は、ハロゲン部と、前記ハロゲン部の背面に取り付けられるモーターカバーと前記モーターカバーを上部に設置する支柱と支柱の下に取り付けられた土台からなる基台部と、ハロゲン部の前面に取り付けられるガードカバーと、前記ハロゲン部の内部に設置される熱源を備えた熱源支持板と、電気系統伝達部を介して熱源支持板と接続されているモーターとからなることを特徴とするハロゲンヒーターの構成とした。【選択図】  図１
2006308235.tif 000002
【特許請求の範囲】
【請求項１】
ハロゲン部と、前記ハロゲン部の背面に取り付けられるモーターカバーと前記モーターカバーを上部に設置する支柱と支柱の下に取り付けられた土台からなる基台部と、ハロゲン部の前面に取り付けられるガードカバーと、前記ハロゲン部の内部に設置される熱源を備えた熱源支持板と、電気系統伝達部を介して熱源支持板と接続されているモーターとからなることを特徴とするハロゲンヒーター。
【請求項２】
お椀型の本体と略お椀型で中央部が緩やかに起伏し無数の孔が穿設された凸部となっている反射板と前記本体及び反射板を熱源格納部を設けて連結する仕切からなるハロゲン部とからなることを特徴とする請求項１に記載のハロゲンヒーター。
【請求項３】
お椀型の本体と略お椀型で中央部が緩やかに起伏した凸部となった全面に無数の孔が穿設された反射板からなるハロゲン部とからなることを特徴とする請求項１乃至請求項２に記載のハロゲンヒーター。
【請求項４】
お椀型の本体と外周面が花びら状に形成され花びら部分全面に無数の孔が穿設された略お椀型の反射板と前記反射板の中央表面に支え棒を介して取り付けられる飾りからなるハロゲン部とからなることを特徴とする請求項１乃至請求項３に記載のハロゲンヒーター。  
【請求項５】
お椀型の本体とお椀型で複数の孔が穿設された反射板と反射板表面に取り付けられた支え棒と前記支え棒の先端に取り付けられた飾りからなるハロゲン部とからなることを特徴とする請求項１乃至請求項４に記載のハロゲンヒーター。
【請求項６】
上部と下部に２箇所ずつ差込孔を穿設した外枠を備えた受け蜂型の本体と２本の縦軸と複数本の横軸からなる格子状で縦軸の上下の先端を前記外枠の差込孔に差し込んで取り付けるガードカバーと前記本体内に設置される略円形の前反射板及び後反射板からなるハロゲン部とからなること特徴とする請求項１乃至請求項５に記載のハロゲンヒーター。
【発明の詳細な説明】
【技術分野】
【０００１】
本発明は、ハロゲンヒーターに関する改良発明である。
【背景技術】
【０００２】
従来のハロゲンヒーターの形状は大きく分けると円形タイプのものと四角タイプのものとがある。特に、主流なのが円形タイプであり、これは従来の扇風機に似た形状のものである。
【０００３】
この円形タイプのハロゲンヒーターは、凹面鏡のような球面の反射板の中央の凹み部分に熱源を配置し、そこから放射された熱を反射板に反射させることで周囲を暖めるものであった。
【０００４】
しかしながら、従来のハロゲンヒーターはガードカバーは付いているものの、熱源が剥きだしであったため近づくとかなり熱く、火傷などの危険を伴う事も多かった。
【０００５】
本来、ハロゲンヒーターは部屋全体を暖めるというよりはハロゲンヒーター本体からごく近い周囲をすばやく暖めるというような速効性と狭範囲性を特徴とする。つまり、寒い時に着替え等をする時やすぐに暖をとりたい時などに効力を発揮する暖房機器である。逆を言えば、部屋全体を暖めるような広範囲の暖房には適していない。
【０００６】
その性質上、使用する者は、ハロゲンヒーターの近くにいる事が多い。近接位置にいなければあまり効力を得られないというのが理由であるが、近づき過ぎると高温のため熱さを感じたり時には火傷を負ってしまうこともある。
【０００７】
また、従来のハロゲンヒーターは、多少の違いはあれどデザインが画一的でお洒落なものや遊び心のあるものは少なく、インテリア性は低かった。その結果、購入者はどのハロゲンヒーターを選んでもデザイン的にはあまり変わり映えすることがなかった。
【特許文献１】特開２００２−３１７９４６号公報
【発明の開示】
【発明が解決しようとする課題】
【０００８】
そこで、本発明は、近づいても熱くなりすぎないよう安全性を高め、更にデザイン的にもインテリア性を高めたハロゲンヒーターを提供することを目的とするものである。
【課題を解決するための手段】
【０００９】
本発明は、上記の課題を解決するために、ハロゲン部２と、前記ハロゲン部２の背面に取り付けられるモーターカバー３ｃと前記モーターカバー３ｃを上部に設置する支柱３ａと支柱３ａの下に取り付けられた土台３ｂからなる基台部３と、ハロゲン部２の前面に取り付けられるガードカバー４と、前記ハロゲン部２の内部に設置される熱源６を備えた熱源支持板５と、電気系統伝達部７を介して熱源支持板５と接続されているモーター８とからなることを特徴とするハロゲンヒーターと、お椀型の本体２ｆと略お椀型で中央部が緩やかに起伏し無数の孔２ｃが穿設された凸部２ｂとなっている反射板２ａと前記本体２ｆ及び反射板２ａを熱源格納部２ｇを設けて連結する仕切２ｄからなるハロゲン部２とからなることを特徴とするハロゲンヒーターと、お椀型の本体２ｆと略お椀型で中央部が緩やかに起伏した凸部９ｂとなった全面に無数の孔９ｃが穿設された反射板９ａからなるハロゲン部９とからなることを特徴とするハロゲンヒーターの構成とした。
【発明の効果】
【００１０】
本発明のハロゲンヒーターは、近づいても熱くなりすぎず高い安全性を得られる。
【００１１】
また、様々なデザインを取り入れることでインテリア性が高められ、購買客にアピールすることができる。
【発明を実施するための最良の形態】
【００１２】
近づいても熱くなりすぎず安全性の高いハロゲンヒーターという目的を熱源を反射板の内部におさめることで実現した。
【００１３】
またデザイン性、インテリア性を高めるという目的を反射板や熱を伝える孔などの形状を変えることで実現した。
【実施例１】
【００１４】
以下に添附図面に基づき、本発明であるハロゲンヒーター１について詳細に説明する。図１は、本発明であるハロゲンヒーターの正面図、図２はハロゲンヒーターの断面図である。
【００１５】
図１から図３に示すように、ハロゲンヒーター１はハロゲン部２と基台部３とガードカバー４とからなる。ハロゲン部２はお椀型の本体２ｆと略お椀型で中央部が緩やかに起伏した凸部２ｂとなっている反射板２ａからなり、本体２ｆと反射板２ａは仕切２ｄを介して熱源格納部２ｇを設けて連結されている。また、凸部２ｂには、無数の孔２ｃが穿設されている。
【００１６】
基台部３は、土台３ｂと土台３ｂに起立して取り付けられた支柱３ａからなり、また支柱３ａの上端にはモーターカバー３ｃが設置されている。モーターカバー３ｃの正面側はハロゲン部２の本体２ｆの中央背面に接続されている。
【００１７】
図２に示すように、モーターカバー３ｃはモーター８を内包しており、モーター８には熱源６を備えた熱源支持板５が電気系統伝達部７を介して取り付けられている。尚、熱源支持板５はモーターカバー３ｃに内包されておらず、熱源格納部２ｇ内にある。
【００１８】
ハロゲン部２の正面側を覆うガードカバー４は、中央円４ｃから外枠４ａに向かって複数本の骨４ｂが放射線状に伸びており、正面より見ると円形をし、Ａ−Ａ線の断面より見ると底の浅い略お椀型をしている。外枠４ａの径は反射板２ａの径よりも若干大きいため反射板２ａに被せて取り付けることができる。
【００１９】
反射板２ａの背面、即ち熱源格納部２ｇ内に格納されている熱源支持板５は、表面に複数本の熱源６、６・・を備えており、熱源６から発せられる熱は緩やかに起伏した凸部２ｂに穿設された無数の孔２ｃ、２ｃ、２ｃ・・・を通り周囲を温めるが、熱はこの無数の孔２ｃ、２ｃ、２ｃ・・・を通る際に放射状に広がるように方向を変えるため、広範囲を温めることができる。
【００２０】
図２及び図３に示すように、反射板２ａは略お椀型をしているが、中心に向かって緩やかな起伏を伴って凸部２ｂが設けられているため、断面より見ると略Ｗ字型に湾曲している。また、熱源６が反射板２ａの背面に隠れているため、熱源６からの集中した熱が直接人体に当たることがないため、火傷の心配はない。
【実施例２】
【００２１】
図４は本発明であるハロゲンヒーターの第２実施例のハロゲン部の正面図、図５はハロゲンヒーターの第２実施例のハロゲン部の断面図である。図４及び図５で示すように、ハロゲンヒーター１ａのハロゲン部９は、お椀型の本体２ｆと略お椀型で中央部が緩やかに起伏した凸部９ｂとなった反射板９ａとからなり、反射板９ａの全面に無数の孔９ｃ、９ｃ、９ｃ・・・が穿設されている。
【００２２】
本体２ｆと反射板９ａの間は熱源格納部２ｇとなっており、前述のハロゲン部２のようにモーター８から電気系統伝達部７を介して接続されている熱源支持板５が内包されている。勿論、熱源支持板５の表面には複数の熱源６が取り付けられている。
【００２３】
熱源６から発せられた熱は熱源格納部２ｇより反射板２ａ全面に穿設された様々な方向を向いた孔９ｃ、９ｃ、９ｃ・・・を通ってハロゲン部９正面の広範囲を温めることができる。
【実施例３】
【００２４】
図６は本発明であるハロゲンヒーターの第３実施例の正面図、図７はハロゲンヒーターの第３実施例の断面図である。図６及び図７で示すように、ハロゲンヒーター１ｂはハロゲンヒーター１、１ａとほぼ同じ構造をしている。即ち、ハロゲンヒーター１、１ａとの違う所はハロゲン部の構造である。
【００２５】
ハロゲン部１０は、お椀型の本体１０ｃと、外周面が花びら状に形成された略お椀型の反射板１０ａとからなり、反射板１０ａの中央から支え棒１１ａを介して飾り１１が突出して設けられており、また、反射板１０ａの花びら状に形成された外周面付近には無数の孔１０ｂ、１０ｂ、１０ｂ・・・が穿設されている。
【００２６】
図７に示すように、本体１０ｃと反射板１０ａの間には熱源格納部１０ｄが設けられており、その空間に熱源支持板１２が納められている。熱源支持板１２の表面には複数の熱源１３が取り付けられており熱を放出する。
【００２７】
基台部３は土台３ｂと土台３ｂに起立して取り付けられた支柱３ａと支柱３ａの上端に接続されたモーターカバー３ｃとからなる。モーターカバー３ｃにはモーター８が内包されており、モーター８より電気系統伝達部７を介して熱源支持板１２が接続されている。
【実施例４】
【００２８】
図８は本発明であるハロゲンヒーターの第４実施例の正面図、図９はハロゲンヒーターの第４実施例の断面図である。図８及び図９で示すように、ハロゲンヒーター１ｃはハロゲン部１４と基台部３とからなる。基台部３は、ハロゲンヒーター１ｂの基台部３と同じである。
【００２９】
即ち、基台部３は、土台３ｂと土台３ｂに起立して取り付けられた支柱３ａと支柱３ａの上端に接続されたモーターカバー３ｃとからなる。モーターカバー３ｃにはモーター８が内包されており、モーター８より電気系統伝達部７を介して熱源支持板１６が接続されている。熱源支持板１６の表面には複数の熱源１７が取り付けられており、熱を発することができる。
【００３０】
ハロゲン部１４は、お椀型の本体１４ｃと同じくお椀型で複数の孔１４ｂ、１４ｂ、１４ｂ・・・が穿設された反射板１４ａとからなり、本体１４ｃと反射板１４ａの間には熱源格納部１４ｄが設けられている。孔１４ｂは蝶の形をした孔である。
【００３１】
また、反射板１４ａの表面から正面方向に向けて複数の支え棒１５ａが突出して取り付けられており、支え棒１５ａの先端には蝶を模した飾り１５が取り付けられているため、図８のように正面から見た場合、たくさんの蝶が飛んでいるように見えて、デザイン性が高い。
【００３２】
勿論、反射板１４ａに穿設される孔１４ｂや取り付けられている飾り１５の形は蝶でなくてもよい。また孔１４ｂと飾り１５の形が同一でなくとも構わない。このように孔１４ｂや飾り１５に特定の形状を取り入れることでデザイン性、インテリア性をより高めることができる。
【００３３】
図９に示すように、ハロゲン部１４は反射板１４ａと本体１４ｃを重ねた構造をしており、断面より見ると略三日月形をしている。
【実施例５】
【００３４】
図１０は本発明であるハロゲンヒーターの第５実施例の正面図、図１１はハロゲンヒーターの第５実施例の断面図、図１２はハロゲンヒーターの第５実施例の斜視図である。
【００３５】
図１０、図１１、図１２で示すように、ハロゲンヒーター１ｄはハロゲン部１８と基台部３とからなる。基台部３は、ハロゲンヒーター１ｃの基台部３と同じである。即ち、基台部３は、土台３ｂと土台３ｂに起立して取り付けられた支柱３ａと支柱３ａの上端に接続されたモーターカバー３ｃとからなる。
【００３６】
モーターカバー３ｃにはモーター８が内包されており、モーター８より電気系統伝達部７を介して熱源支持板２２が接続されている。熱源支持板２２の表面には複数の熱源２３が取り付けられており、熱を発することができる。
【００３７】
図１０から図１２に示すように、ハロゲン部１８は、上部と下部に２箇所ずつ差込孔１８ｂを穿設した外枠１８ａを備えた受け蜂型の本体１８ｃと、２本の縦軸と複数本の横軸からなる格子状で縦軸の上下の先端を外枠１８ａの差込孔１８ｂに差し込んで取り付けるガードカバー２１と、本体１８ｃ内に設置される前後反射板１９、２０からなる。
【００３８】
前反射板１９は円形の板で下部がギザギザに切り取られた形状をしており、鳥や雲や花などの形をした孔１９ａが複数穿設されている。一方後反射板２０も円形の板の上部がギザギザに切り取られた形状をしており、魚の形をした孔２０ａが複数穿設されている。この孔１９ａ、２０ａの形状は特に限定したものではなく、別の形、例えば動物、植物、花等の形の孔としてもよい。
【００３９】
図１１に示すように、前後反射板１９、２０は、本体１８ｃ内に設置されており、前反射板１９はギザギザの面を下にして本体１８ｃ内の前方部に上から取り付けられている。また、後反射板２０はギザギザ面を上にして本体１８ｃ内の前反射板１９の後ろに隙間１８ｄを設けて取り付けられている。尚、このとき、前反射板の下端と後反射板の上端は正面よりみると重なっている。
【００４０】
反射板を手前と奥にずらして設置することにより、奥行きや立体感が生まれデザインの幅を広げることができる。また前反射板１９の下端１９ｂは本図面では波形だが反射板に穿設される孔のモチーフにより直線等にしてもよい。
【００４１】
後反射板２０の更に後ろ側、即ち本体１８ｃの内部にはモーター８より電気系統伝達部７を介して接続された熱源支持板２２が設置されており、熱源２３より熱を発している。
【図面の簡単な説明】
【００４２】
【図１】本発明であるハロゲンヒーターの正面図である。
【図２】本発明であるハロゲンヒーターの断面図である。
【図３】本発明であるハロゲンヒーターのハロゲン部の正面図である。
【図４】本発明であるハロゲンヒーターの第２実施例のハロゲン部の正面図である。
【図５】本発明であるハロゲンヒーターの第２実施例のハロゲン部の断面図である。
【図６】本発明であるハロゲンヒーターの第３実施例の正面図である。
【図７】本発明であるハロゲンヒーターの第３実施例の断面図である。
【図８】本発明であるハロゲンヒーターの第４実施例の正面図である。
【図９】本発明であるハロゲンヒーターの第４実施例の断面図である。
【図１０】本発明であるハロゲンヒーターの第５実施例の正面図である。
【図１１】本発明であるハロゲンヒーターの第５実施例の断面図である。
【図１２】本発明であるハロゲンヒーターの第５実施例の斜視図である。
【符号の説明】
【００４３】
１      ハロゲンヒーター
１ａ    ハロゲンヒーター
１ｂ    ハロゲンヒーター
１ｃ    ハロゲンヒーター
１ｄ    ハロゲンヒーター
２      ハロゲン部
２ａ    反射板
２ｂ    凸部
２ｃ    孔
２ｄ    仕切
２ｅ    ハロゲン部
２ｆ    本体
２ｇ    熱源格納部
３      基台部
３ａ    支柱
３ｂ    土台
３ｃ    モーターカバー
４      ガードカバー
４ａ    外枠
４ｂ    骨
４ｃ    中央円
５      熱源支持板
６      熱源
７      電気系統伝達部
８      モーター
９      ハロゲン部
９ａ    反射板
９ｂ    凸部
９ｃ    孔
１０    ハロゲン部
１０ａ  反射板
１０ｂ  孔
１０ｃ  本体
１０ｄ  熱源格納部
１１    飾り
１１ａ  支え棒
１２    熱源支持板
１３    熱源
１４    ハロゲン部
１４ａ  反射板
１４ｂ  孔
１４ｃ  本体
１４ｄ  熱源格納部
１５    飾り
１５ａ  支え棒
１６    熱源支持板
１７    熱源
１８    ハロゲン部
１８ａ  外枠
１８ｂ  差込孔
１８ｃ  本体
１８ｄ  隙間
１９    前反射板
１９ａ  孔
１９ｂ  下端
２０    後反射板
２０ａ  孔
２０ｂ  上端
２１    ガードカバー
２１ａ  先端
２２    熱源支持板
２３    熱源
【図１】
2006308235.tif 000003
【図２】
2006308235.tif 000004
【図３】
2006308235.tif 000005
【図４】
2006308235.tif 000006
【図５】
2006308235.tif 000007
【図６】
2006308235.tif 000008
【図７】
2006308235.tif 000009
【図８】
2006308235.tif 000010
【図９】
2006308235.tif 000011
【図１０】
2006308235.tif 000012
【図１１】
2006308235.tif 000013
【図１２】
2006308235.tif 000014